(57)【要約】【課題】  光ディスクをファイナライズする際にユーザが所望の画像データを光ディスクに追加記録する。【解決手段】  所定の再生単位である単位データからなるデータ群を記録するためのデータ領域と、データ群の各単位データを管理し、かつ再生装置で読出し可能とするための管理情報を記録する管理領域とを有する光ディスクに記録するディスク記録装置は、光ディスクのファイナライズ処理の要求に応じて（Ｓ３でＹＥＳ）、指定の所望画像データに基づき単位データを生成すると、生成された単位データを光ディスクのデータ領域のデータ群に追加記録する（Ｓ９）。そして、追加記録後のデータ領域のデータ群の各単位データを管理するための管理情報を生成して、管理領域に記録するファイナライズ処理（Ｓ１１）を実行する。【選択図】        図３
2006139871.tif 000002
【特許請求の範囲】
【請求項１】
所定の再生単位である単位データからなるデータ群を記録するためのデータ領域と、前記データ群の各単位データを管理し、かつ再生装置で読出し可能とするための管理情報を記録する管理領域とを有する光ディスクに記録するディスク記録装置であって、
予め記憶された複数の画像データの中から、前記所望画像データを指定する画像指定手段と、
前記光ディスクのファイナライズ処理の要求に応じて、指定の所望画像データに基づき前記単位データを生成する単位データ生成手段と、
前記単位データ生成手段により生成された前記単位データを前記光ディスクの前記データ領域の前記データ群に追加記録する追加記録手段と、
前記追加記録手段による前記追加記録後の前記データ領域の前記データ群の各単位データを管理するための管理情報を生成して、前記管理領域に記録するファイナライズ処理手段とを備え、
前記画像指定手段は、
前記複数の画像データそれぞれに対応のサムネイル画像を表示するサムネイル表示手段と、
表示された複数の前記サムネイル画像のうちから、外部入力に基づきサムネイル画像を選択する選択手段とを有し、
前記選択手段により選択された前記サムネイル画像に対応の前記画像データを、前記所望画像データとして指定する、ディスク記録装置。
【請求項２】
所定の再生単位である単位データからなるデータ群を記録するためのデータ領域と、前記データ群の各単位データを管理し、かつ再生装置で読出し可能とするための管理情報を記録する管理領域とを有する光ディスクに記録するディスク記録装置であって、
前記光ディスクのファイナライズ処理の要求に応じて、指定の所望画像データに基づき前記単位データを生成する単位データ生成手段と、
前記単位データ生成手段により生成された前記単位データを前記光ディスクの前記データ領域の前記データ群に追加記録する追加記録手段と、
前記追加記録手段による前記追加記録後の前記データ領域の前記データ群の各単位データを管理するための管理情報を生成して、前記管理領域に記録するファイナライズ処理手段とを備える、ディスク記録装置。
【請求項３】
予め記憶された複数の画像データの中から、前記所望画像データを指定する画像指定手段をさらに備える、請求項２に記載のディスク記録装置。
【請求項４】
前記画像指定手段は、
前記複数の画像データそれぞれに対応のサムネイル画像を表示するサムネイル表示手段と、
表示された複数の前記サムネイル画像のうちから、外部入力に基づきサムネイル画像を選択する選択手段とを有し、
前記選択手段により選択された前記サムネイル画像に対応の前記画像データを、前記所望画像データとして指定することを特徴とする、請求項３に記載のディスク記録装置。
【発明の詳細な説明】
【技術分野】
【０００１】
この発明はディスク記録装置に関し、特に、ＤＶＤ(Digital Versatile Disc）などの光ディスクのファイナライズ機能を有するディスク記録装置に関する。
【背景技術】
【０００２】
ＤＶＤ−Ｒ（DVD-Recordable）またはＤＶＤ−ＲＷ（DVD-Rewritable）などの記録再生が可能な光ディスクに記録されたデータは、ＤＶＤ−ビデオフォーマットにのみ対応する再生装置およびＰＣ（パーソナルコンピュータ）などでは、フォーマット不整合のために再生することができない。したがって、ＤＶＤにデータを記録した場合であっても、そのＤＶＤの汎用性に乏しいという課題があった。
【０００３】
この課題を解消するために、データが記録されている光ディスクを、他の再生装置で汎用的に読出可能とするために、ＤＶＤ記録装置では、ＤＶＤのファイナライズ処理（クローズドセッション処理）を行なうようにしている。ＤＶＤのファイナライズ処理機能を有するディスク装置がたとえば特許文献１〜３に開示されている。
【０００４】
特許文献１の装置では、ファイナライズ処理時に記録済みの単位データに基づき、サムネイル画像を含むメニュー画像と、メニュー画像にリンクするためのリンク画像を生成し、メニュー画像とリンク画像とを光ディスクに記録している。
【０００５】
特許文献２は、光ディスクのファイナライズ時に、ユーザに対してディスクタイトルの確認を求め、またユーザによるタイトルの入力（タイトル文字入力）、編集（文字選択によるタイトル編集）の機能を提供することが示されている。
【０００６】
特許文献３は、ファイナライズの完了後に光ディスクに対してデータの追記が可能な記録装置を提供している。
【特許文献１】特開２００４−２１３７０６号公報
【特許文献２】特開２００４−２０６８３１号公報
【特許文献３】特開２００３−２６３８６０号公報
【発明の開示】
【発明が解決しようとする課題】
【０００７】
ＤＶＤなどの光ディスクについて、所望のデータを記録してファイナライズ処理するときに、ユーザカスタマイズしたＤＶＤを作成しようとする要求がある。つまり、ＤＶＤの再生時には、該ＤＶＤを入手した第三者が、ＤＶＤの製作者（ユーザ）を認識したい、または、製作者がこの第三者に対して何らかのメッセージを送りたい、または、後日、ユーザ自身が該ＤＶＤを再生するときに、簡単に該ＤＶＤの内容を知りたいという要求がある。このような要求を満たすには、ユーザが予めお好みの画像を準備しておき、これをファイナライズ時に追加登録して、再生することがユーザ操作の面では手軽である。
【０００８】
これに対し、特許文献３はファイナライズ完了後のデータの記録であるから、ファイナライズ時に、ユーザが思いついたデータを追加登録するということができない。また特許文献１と２は、ファイナライズ処理時のデータ書込を許しているけれども、書込対象のデータは、メニュー画面とメニュー画面リンク情報の記録であったり、ＤＶＤ自体のタイトルの編集であったりし、上述したようなユーザお好みの画像を追加登録するということはできない。
【０００９】
それゆえにこの発明の目的は、光ディスクをファイナライズする際にユーザが所望の画像データを光ディスクに追加記録することのできるディスク記録装置を提供することである。
【課題を解決するための手段】
【００１０】
この発明のある局面に従うと、所定の再生単位である単位データからなるデータ群を記録するためのデータ領域と、前記データ群の各単位データを管理し、かつ再生装置で読出し可能とするための管理情報を記録する管理領域とを有する光ディスクに記録するディスク記録装置は、
前記光ディスクのファイナライズ処理の要求に応じて、指定の所望画像データに基づき前記単位データを生成する単位データ生成手段と、
前記単位データ生成手段により生成された前記単位データを前記光ディスクの前記データ領域の前記データ群に追加記録する追加記録手段と、
前記追加記録手段による前記追加記録後の前記データ領域の前記データ群の各単位データを管理するための管理情報を生成して、前記管理領域に記録するファイナライズ処理手段とを備える。
【００１１】
このように、本発明では、光ディスクのファイナライズ要求があると、ディスク記録装置では、指定の所望画像データに基づく単位データが生成されて光ディスクのデータ領域のデータ群に追加記録されて、その後に、データ領域のデータ群の各単位データを管理するための管理情報を生成して、光ディスクの管理領域に記録するファイナライズ処理が実行される。
【発明の効果】
【００１２】
発明によれば、ユーザが所望する画像データをファイナライズ処理に先立って追加記録してからファイナライズ処理することができるので、所望画像データとしてお好みの画像（日付、名前、メッセージなどの画像）のデータを指定することで、ユーザオリジナルの光ディスクを作成できる。
【発明を実施するための最良の形態】
【００１３】
図１は、この発明の実施の形態に係るディスク記録再生装置のブロック構成図である。
【００１４】
図１を参照してディスク記録再生装置はＴＶ（Television）放送を受信するＴＶアンテナ１、ＴＶアンテナ１により受信された放送信号から所望チャンネルに対応の放送信号を抽出するためのチューニング動作を行なうチューナ２、チューナ２により抽出された放送信号について所定の符号化方式に従いデジタル信号に変換するデジタル変換部３、デジタル変換部３により変換されて出力されたデジタル信号をコード化してデジタルデータとして出力するエンコーダ４、エンコーダ４から出力されたデジタルデータが記録され、供給電力が絶たれても記録内容を保持できる図示のないＨＤを駆動制御するＨＤＤ（Hard disk drive）５、ＨＤＤ５によるＨＤへのデジタルデータの書込および読出とＤＶＤ１６へのデジタルデータの書込および読出とを制御する書込／読出制御部６、ＨＤＤ５によりＨＤから読出されたデジタルデータまたはＤＶＤ１６から読出されたデジタルデータを入力してデコードし、デジタル信号を出力するデコーダ７、デコーダ７から出力されたデジタル信号を入力してアナログ信号に変換して出力するアナログ変換部８、およびアナログ変換部８から出力されたアナログ信号を入力して映像、音声などにして出力するためのＴＶ受像機などの出力部９を備える。
【００１５】
さらに、図１のディスク記録再生装置は、チューナ２のチューニング動作、エンコーダ４のエンコード動作、デコーダ７のデコード動作および書込／読出制御部６の動作を制御するためのＣＰＵ（Central Processing Unit）１０、ＣＰＵ１０がこれらを制御するための情報（プログラム、データなど）を含む各種の情報を記憶するためのＲＡＭ（Random Access Memory）やＲＯＭ（Read Only Memory）などからなる記憶部１１および１２、外部に設けられたリモコン（リモートコントローラの略）１４からの赤外線信号による指令・指示を受信し、データに変換して、ＣＰＵ１０に与える入力部１３、ＯＳＤ（On Screen Display）回路１５、ＤＶＤ１６、および計時動作するタイマ１７を備える。
【００１６】
ここでは、ＤＶＤ１６は、ＤＶＤ−Ｒ、ＤＶＤ−ＲＡＭ（ＤＶＤ−ＲＷともいう）などであってよい。
【００１７】
記憶部１２には、１つまたは複数のユーザの画像データ６１が予め格納されており、ここでは、ユーザの画像データ６１は静止画の画像データであると想定する。なお、ユーザの画像データ６１は記憶部１２に格納されるとしたが、ＨＤＤ５に格納されても良い。
【００１８】
ＯＳＤ回路１５はＣＰＵ１０から与えられるデジタル情報に基づく描画データを作成してアナログ変換部８に出力する。アナログ変換部８は描画データを入力すると、該描画データのみをアナログ変換して、または該描画データとＨＤＤ５またはＤＶＤ１６から読出されてデコーダ７を介して与えられるデータとをアナログ変換して、出力部９に出力するので、出力部９には与えられるデータに基づく画像が表示されることになる。
【００１９】
入力部１３はリモコン１４からの指令を入力しない場合には、外部からの指令・指示を入力するためのユーザにより操作される各種スイッチ、ボタンなどから構成されてもよい。
【００２０】
リモコン１４は、外部からユーザにより操作されるチャンネル指定、文字入力などのために操作されるテンキー１４０、決定ボタン１４２、カーソルキー１４３およびモード切換キー１４４を備える。カーソルキー１４３は出力部９に表示されるカーソルなどのポインタを上下左右のそれぞれの方向に移動させるための複数種類のキーを含む。
【００２１】
なお、ＨＤＤ５によるＨＤへの情報の書込（記録）／読出（再生）、ならびにＤＶＤ１６への情報の書込（記録）／読出（再生）は、ＣＰＵ１０の制御の下に読出／書込制御部６を介して行なわれる。ここでは、ＨＤＤ５とＤＶＤ１６について読出／書込制御部６を共用して設けているが、書込／読出制御部６をそれぞれ個別に設けるようにしてもよい。
【００２２】
図２（Ａ）〜（Ｃ）を参照してＤＶＤ１６のフォーマット例を説明する。ここでは、たとえばＤＶＤビデオフォーマットが示される。
【００２３】
ＤＶＤビデオフォーマットによるＤＶＤ１６はファイナライズ処理後は、図２（Ａ）に示すように、その情報記録面が、先頭側である最内側よりリードイン（Lead in）、データゾーン（Data Zone）、リードアウト（Lead out）に区切られている。そして、データゾーンに所望のビデオデータ等が記録される。
【００２４】
データゾーンは、リードイン側より順に、ＵＤＦ（Universal Disk Format ）領域（ファイルシステムエリア）Ａ１、ＶＭＧ（Video Manager ）領域（ＤＶＤ管理用情報エリア）Ａ２、リアルタイムデータ記録エリアＡ３に区分される。
【００２５】
ＵＤＦ領域及びＶＭＧ領域は、このＤＶＤ１６に記録されたビデオデータによるファイルを管理する管理用情報記録領域である。ＶＭＧ領域は、ディスク記録再生装置に対応する領域であり、リアルタイムデータ記録エリアＡ３に記録されたビデオデータ全体を管理する管理用情報が記録される。ＵＤＦ領域Ａ１は、コンピュータによるファイル管理システムに対応する領域であり、コンピュータにおけるファイルシステムとの互換を図るフォーマットによりリアルタイムデータ記録エリアＡ３に記録したビデオデータ全体を管理する管理用情報が記録される。
【００２６】
リアルタイムデータ記録エリアＡ３は、実データを記録するプログラムエリアであり、図２（Ｂ）示されているように、所定の再生単位であるＶＴＳ（Video Title Set ）を単位にして、ビデオデータが記録される。なお、ＶＴＳは、最大で９９個まで設けることができるようにされているので、本実施の形態では、ファイナライズ時にはＶＴＳは９８個以下であり、ユーザのお好み画像としてのユーザの画像データ６１はＶＴＳとして領域Ａ３に追加記録可能であると想定している。
【００２７】
ここで、ＶＴＳは、図２（Ｃ）に示すように、先頭側より、ＶＴＳＩ（Video Title Set Information ）、ＶＴＳＭ ＶＯＢＳ（Video Object Set for the VTSM ）、ＶＴＳＴＴ ＶＯＢＳ(Video Object Set For Titles in a VTS)、ＶＴＳＩ ＢＵＰ（Backup of VTSI）により構成される。ＶＴＳＴＴ ＶＯＢＳには、実データであるＭＰＥＧまたはＪＰＥＧのフォーマットによるビデオデータが記録される。ＶＴＳＩには、この実データによるビデオデータを管理する管理用情報である記録位置情報等が記録される。ＶＴＳＭ ＶＯＢＳには、ビデオデータのタイトルメニューが記録される。なお、ＶＴＳＭ ＶＯＢＳは、オプションである。ＶＴＳＩ ＢＵＰは、ＶＴＳＩのバックアップである。
【００２８】
ところで、リアルタイムデータ記録エリアＡ３の空領域にＶＴＳが順次記録され、リアルタイムデータ記録エリアＡ３が形成された光ディスクは、ファイナライズ処理によるフォーマット変換を行なわなければ、ＤＶＤ−ビデオフォーマットにのみ対応する再生装置等で再生することができない。ここで、図２（Ａ）を用いて、ファイナライズ処理について説明する。
【００２９】
例えば、ＤＶＤ１６は、図２（Ａ）に示すように、ファイナライズ処理によりＵＤＦ領域Ａ１及びＶＭＧ領域Ａ２が形成され、最内周にリードイン（Lead In）が形成され、最外周にリードアウト（Lead Out）が形成される。このファイナライズ処理により再生専用の光ディスクとの互換性を図ることができる。なお、このＵＤＦ領域Ａ１及びＶＭＧ領域Ａ２の形成においては、各ＶＴＳのＶＴＳＩ及びＶＴＳＭ ＶＯＢＳのデータより、ＵＤＦ領域Ａ１及びＶＭＧ領域Ａ２に記録するデータを生成し、このデータを対応領域に記録して当該領域を閉じる作業が行なわれる。
【００３０】
この種のＤＶＤ１６においては、コンピュータによりアクセスする場合は、ＵＤＦにより所望するファイルを検索して再生することができるようにされる。例えばＤＶＤプレイヤーによりアクセスする場合には、ＶＭＧにより所望するファイルを検索して再生することができるようにされる。これにより、ＵＤＦは、コンピュータのファイル管理システムに対応してＤＶＤ１６に記録されたビデオデータの管理用情報を構成するのに対し、ＶＭＧは、ディスク記録再生装置に対応してＤＶＤ１６に記録されたビデオデータの管理用情報を構成するようにされる。
【００３１】
図３のフローチャートに従い動作について説明する。なお、ここで、お好み画像とは、記憶部１２に予め登録されているユーザの画像データ６１に従う画像データを指す。画像データ６１は例えば、日付、名前、メッセージなどのユーザが自由に設定した情報を含んだ画像データである。
【００３２】
まず、領域Ａ３にビデオデータが記録済みのＤＶＤ１６についてユーザがリモコン１４を操作してファイナライズ要求を送信すると、ＣＰＵ１０は、入力部１３を介してファイナライズ要求の指示を受信して、受信指示に基づきファイナライズ要求有りと判別する（ステップＳ（以下、単にＳと略す）３）。
【００３３】
ファイナライズ要求を受信したＣＰＵ１０は、ＯＳＤ回路１５を介して出力部９に図４の画面を表示して、図４の画面を用いて、ファイナライズ処理に際してユーザのお好み画像をＤＶＤ１６に追加記録しておくか否かの問合せメッセージを表示して、追加記録する（“ＹＥＳ”）しない（“ＮＯ”）を選択操作することをユーザに対して促し、操作内容を判別する（Ｓ５）。
【００３４】
つまり、ユーザは図４の画面のメッセージを確認して、リモコン１４のカーソルキー１４３を操作して画面のカーソル６３を動かし、“ＹＥＳ”にカーソル６３を位置させて決定ボタン１４２を押下すると、ＣＰＵ１０は決定ボタン１４２が押下された時点でカーソル６３が示す位置の表示情報、すなわち“ＹＥＳ”が指定されたことに応じてお好み画像の追加登録が指定されたことを判別し（Ｓ５でＹＥＳ）、次のＳ７の処理に移行するが、“ＮＯ”が指定されたと判別したときは、後述するＳ１１の処理に移行する。
【００３５】
ステップＳ７では、ＣＰＵ１０は、出力部９にＯＳＤ回路１５を介して図５の画面を表示する。図５の画面では、お好み画像の選択をユーザに対して促すための情報が表示される。まず、ＣＰＵ１０は、記憶部１２から１つ以上のユーザの画像データ６１を読出して出力部９に表示する。表示に際してＣＰＵ１０は、記憶部１１に予め登録されている所定プログラムに従いユーザの画像データ６１のそれぞれについてサムネイル画像データを作成し、作成したサムネイル画像データに基づくサムネイル画像６２を出力部９に表示する。図５には、ユーザの画像データ６１のそれぞれに対応したサムネイル画像６２と１個のボックス６４が表示される。ボックス６４は、１つ以上のサムネイル画像６３からユーザが選択したサムネイル画像６２に対応のユーザの画像データ６１の画像のタイトル名をユーザが入力するための領域である。
【００３６】
ユーザは図５の画面の表示メッセージを読んで、お好みの画像を、表示される１つ以上のサムネイル画像６２のうちから選択的に指定する。ユーザによる選択はリモコン１４のカーソルキー１４３を操作して画面上のカーソル６３を移動させ、所望のサムネイル画像６２にカーソル６３を位置させながら決定ボタン１４２を押下することにより実現される。ＣＰＵ１０は、決定ボタン１４２が押下されたときにカーソル６３により指定されたサムネイル画像６２を検知する。続いて、ユーザは図５の画面のボックス６４に、選択したサムネイル画像６２（ユーザの画像データ６１）についてのタイトル名をリモコン１４のテンキー１４０を操作して文字入力などする。文字入力されて編集されたタイトル名はＣＰＵ１０により読取られる。
【００３７】
ここでは、ユーザが選択したサムネイル画像６２に対応のユーザの画像データ６１のタイトル名は、ユーザが入力するとしているが、システム側（ＣＰＵ１０）が所定の規則に従い付けるようにしてもよい。
【００３８】
ＣＰＵ１０は、選択されたユーザの画像データ６１を記憶部１２から読出して、これに基づくビデオデータのＶＴＳのためのデータを生成して、エンコーダ４に出力する。したがって、エンコーダ４では与えられるデータをエンコード処理してＤＶＤ１６に出力する。ＣＰＵ１０は書込/読出制御部６を制御してＤＶＤ１６に与えられるデータのＤＶＤ１６への書込みを制御する。これにより、生成されたＶＴＳのデータは図２（Ｂ）の領域Ａ３に追加記録される（Ｓ９）。このとき、図５のボックス６４に入力されたタイトル名のデータは、ＶＴＳＭ ＶＯＢＳを生成するのに用いられる。
【００３９】
ここでは、お好み画像の選択（追加登録）は１個としているが、２つ以上であってもよい。また、お好み画像としてのユーザの画像データ６１は静止画としたが動画のデータであってもよい。
【００４０】
次に、ＣＰＵ１０は、領域Ａ３に記録されたすべてのＶＴＳについて、領域Ａ１とＡ２用の情報を生成して記録するファイナライズ処理を実行する（Ｓ１１）。このファイナライズ処理は従来からなされている手順に従うものであり、詳細は略す。
【００４１】
図３の手順では、ファイナライズ要求後にユーザによるお好み画像の選択処理（Ｓ５、Ｓ７）がされているが、ファイナライズ要求の前にこれら処理がされていてもよい。
【００４２】
以上の手順でユーザの画像データ６１が追加記録された後にファイナライズ処理されたＤＶＤ１６を再生すると、タイトル一覧においてユーザがボックス６４に入力したタイトル名が表示される。ユーザが該タイトル名を指定して再生モードに移行することで、簡単に該指定タイトル名に対応するユーザの画像データ６１による映像を再生表示できる。したがって、ユーザは当該ＤＶＤ１６に記録されたユーザの画像データ６１により発せられるメッセージを確認することができる。
【００４３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４４】
【図１】この発明の実施の形態に係るディスク記録再生装置のブロック構成図である。
【図２】この発明の実施の形態に係るＤＶＤのファイルフォーマット例を示す図である。
【図３】この発明の実施の形態に係る処理フローチャートである。
【図４】この発明の実施の形態に係る画面表示例を示す図である。
【図５】この発明の実施の形態に係る画面表示例を示す図である。
【符号の説明】
【００４５】
１０  ＣＰＵ、６１  ユーザの画像データ、６２  サムネイル画像、９  出力部、１４  リモコン。
【図１】
2006139871.tif 000003
【図２】
2006139871.tif 000004
【図３】
2006139871.tif 000005
【図４】
2006139871.tif 000006
【図５】
2006139871.tif 000007